(57)【要約】      （修正有）【課題】転送エントリの構成を特定の加入者装置への特定のネットワークアドレスのリースと同期させる。【解決手段】宛先ハードウェアアドレスとそれぞれの出口インタフェースの間の１対１の関連付けを含む転送テーブル３２に従ってデータトラフィックを転送するようになされた転送手段３１と、転送テーブルに転送エントリを構成するようになされた転送構成手段３３と、ネットワークアドレスを割り当てるために自動構成サーバと加入者装置の間で交換される自動構成メッセージを捕捉するようになされた捕捉手段３４とで構成されたアクセスノード２ａの転送構成手段３３は、特定の加入者装置の特定のハードウェアアドレスＭＡＣ＠１に関連する特定の転送エントリの構成を、特定の加入者装置への特定のネットワークアドレスＩＰ＠１のリースと同期させることにより転送テーブル３２の自己構成を行う。【選択図】図２
2014161084.tif 000002
【特許請求の範囲】
【請求項１】
宛先ハードウェアアドレスとそれぞれの出口インタフェースの間に１対１の関連付けを含む転送テーブル（３２）に従ってデータトラフィックを転送するようになされた転送手段（３１）と、
前記転送テーブル中に転送エントリを構成するようになされた転送構成手段（３３）と、
そこにネットワークアドレスを割り当てるために自動構成サーバ（４）と加入者装置の間で交換される自動構成メッセージを捕捉するようになされた捕捉手段（３４）と
を含み、前記転送構成手段が前記捕捉手段に結合され、さらに特定の加入者装置（１）の特定のハードウェアアドレス（ＭＡＣ＠１）に関連する特定の転送エントリの構成を前記特定の加入者装置への特定のネットワークアドレス（ＩＰ＠１）のリースと同期させるようになされることを特徴とする、アクセスノード（２ａ、２ｂ）。
【請求項２】
前記転送構成手段が、前記特定の加入者装置への前記特定のネットワークアドレスの割当て、それぞれのリリース、と同期して、前記特定の転送エントリに関連する特定のエージングタイマを休止、それぞれ再開する、ようにさらになされることを特徴とする、請求項１に記載のアクセスノード（２ａ、２ｂ）。
【請求項３】
前記転送構成手段が、前記特定の加入者装置への前記特定のネットワークアドレスの割当て、それぞれのリリース、と同期して、前記特定の転送エントリを追加する、それぞれ削除する、ようにさらになされることを特徴とする、請求項１に記載のアクセスノード（２ａ、２ｂ）。
【請求項４】
宛先ハードウェアアドレスとそれぞれの出口インタフェースの間の１対１の関連付けを含む前記転送テーブル内に転送エントリを構成するステップと、
そこにネットワークアドレスを割り当てるために自動構成サーバ（４）と加入者装置の間で交換される自動構成メッセージを捕捉するステップと
を含む、アクセスノード（２ａ、２ｂ）内の転送テーブル（３２）を自己構成する方法であって、特定の加入者装置（１）の特定のハードウェアアドレス（Ｍａｃ＠１）に関連する特定の転送エントリの構成を前記特定の加入者装置への特定のネットワークアドレス（ＩＰ＠１）のリースと同期化するステップをさらに含むことを特徴とする、方法。
【発明の詳細な説明】
【技術分野】
【０００１】
本発明はアクセスノードにおける転送テーブルの自己構成に関する。
【背景技術】
【０００２】
ローカルエリアネットワーク（ＬＡＮ）は元々共用伝送媒体を介して互いに接続された局（またはホスト）で構成されていた。データはフレームにカプセル化され、次にフレームは伝送媒体を介した（場合によっては複数の物理経路を介した）伝送のために物理信号に符号化される。最大でも１つの局が所定の時間に伝送することができ、一方、他方の局はリスニングしている。各局は、媒体アクセス制御（ＭＡＣ）、そして具体的には信号衝突検出、フレーム描写、ユニキャストまたはマルチキャストアドレス指定、および信号破損に対する保護を含む。
【０００３】
リピータ（またはハブ）は、伝送媒体のセグメントを相互接続し、それによってその物理的仕様が、そうでなければ限度を超えるであろうときにＬＡＮの範囲を拡げるために使用される装置である。
【０００４】
ブリッジ（またはスイッチ）は、２つ以上のＬＡＮを相互接続するために使用される装置である。ブリッジされたＬＡＮは、以下を提供することができる：
−  異なるＭＡＣタイプのＬＡＮに接続された局間の通信、
−  ＬＡＮの総スループットの増加、
−  ＬＡＮへの許容されるアタッチメントの物理的範囲または数の増加、
−  仮想ＬＡＮ（ＶＬＡＮ）タグを用いてなど、技術的または管理上の理由による物理ＬＡＮの分割。
【０００５】
異なるＭＡＣタイプおよびネットワーク接続形態をもつブリッジされたＬＡＮの一例は、２００２年３月８日にＩｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ（ＩＥＥＥ）によって発行された表題「ＩＥＥＥ  Ｓｔａｎｄａｒｄ  ｆｏｒ  Ｌｏｃａｌ  ａｎｄ  Ｍｅｔｒｏｐｏｌｉｔａｎ  Ａｒｅａ  Ｎｅｔｗｏｒｋ：Ｏｖｅｒｖｉｅｗ  ａｎｄ  Ａｒｃｈｉｔｅｃｔｕｒｅ」、ｒｅｆ．８０２の文献の§６．３．２．６に示されている。
【０００６】
Ｉｎｔｅｒｎｅｔ  Ｅｎｇｉｎｅｅｒｉｎｇ  Ｔａｓｋ  Ｆｏｒｃｅ（ＩＥＴＦ）によって１９８２年１１月に発行された表題「Ａｎ  Ｅｔｈｅｒｎｅｔ  Ａｄｄｒｅｓｓ  Ｒｅｓｏｌｕｔｉｏｎ  Ｐｒｏｔｏｃｏｌ」、ｒｅｆ．８２６のコメント要求（ＲＦＣ）は、局が、ＩＰアドレスなどのそれらのネットワーク（または論理）アドレスに基づく、ＭＡＣアドレスなどの互いのハードウェア（または物理）アドレスを知るために、ＬＡＮまたはブリッジされたＬＡＮを介してデータを交換することを可能にする方法を開示している。ハードウェアアドレスはＬＡＮまたはブリッジされたＬＡＮを介して特定の宛先または特定のソースを一意に識別する。特定のネットワークアドレスを割り当てられた特定の目標局にデータを送りたい送信局は、その特定のネットワークアドレスをハードウェアアドレスに分解する要求をブロードキャストする。その特定のネットワークアドレスを割り当てられた局は、その要求にそのハードウェアアドレスで応答する。その要求はさらに送信局のネットワークおよびハードウェアアドレスを含み、それによってリスニング局がこの関連付けを学習することができるようにする。互いのハードウェアアドレスが知られた後は、ピアトゥピア通信が可能である。
【０００７】
本発明は主としてメトロポリタンエリアネットワーク（ＭＡＮ）に関し、さらに地理的エリアにまたがり、ユーザにネットワークサービスプロバイダへのおよびさらにファイル転送、電子メール、ウェブのブラウジング、音声およびビデオ通信、マルチメディアアプリケーション、データベースアクセス、トランザクション処理、遠隔プロセス制御などの多種多様なエンドユーザアプリケーション（またはサービス）のアプリケーションサービスプロバイダへのアクセスを提供するアクセス（または集約）ネットワークに関する。
【０００８】
本発明はさらに具体的には、加入者を集約ネットワークに、そしてさらにはコアネットワークに結合させる集約ネットワークの端にあるネットワークユニットである、アクセスノードに関する。アクセスノードの一例は、デジタル加入者線アクセス多重化装置（ＤＳＬＡＭ）、光ネットワークユニット（ＯＮＵ）、無線基地局などである。
【０００９】
Ｅｔｈｅｒｎｅｔ（登録商標）  ＭＡＮ（ＥＭＡＮ）などのレイヤ２（Ｌ２）集約ネットワークでは、アクセスノードはブリッジを収容するまたはエミュレートする。ブリッジは、トラフィックを正しい宛先に転送するために、自己学習転送パラダイムを使用する：転送テーブルは、着信フレームのソースＭＡＣアドレスを復号化することによって、およびこれらのＭＡＣアドレスを、それを通して着信フレームが受信されたそれぞれのポート（または、物理的もしくは論理的性質である、インタフェース）に向けられた（または関連付けられた）ものとしてこれらのＭＡＣアドレスを構成することによって、オンザフライで追加される。その関連付けは、あるエージングタイマが満期になった後に削除される。
【００１０】
着信フレームの受信を受けて、ブリッジは、そのフレームの宛先ＭＡＣアドレスをもつテーブル索引を使用して出口ポートを判定する。一致が見つからない場合、即ち宛先ＭＡＣアドレスが特定のポートに向けられたものとしてまだ知られていなかった場合、次にフレームは、設定されたポリシに応じて、廃棄されるかすべての出口ポートへとフラッドされる。
【００１１】
機密保護問題のために、知られていないハードウェアアドレスに向けられた下流フレームは通常はアクセスノード内で廃棄される、即ち加入者のハードウェアアドレスが上流フレームから最初に学習されていない場合、または加入者のハードウェアアドレスが古くなり上流トラフィックがそれ以降は受信されなかった場合には、そのネットワークからセッションセットアップは可能ではない。
【００１２】
大型のエージングタイマは部分的にその問題を解決する。もう１つの選択肢は、小型のＡＲＰエージングタイマを、それが定期的に加入者装置をＡＲＰするように、エッジルータ上に構成することである：ＡＲＰ応答は、ＭＡＣアドレス学習をトリガすることになる。しかし、構成可能なＡＲＰタイマは一般に利用可能ではなく、短いタイマは大規模集約ネットワークにおいて過剰なブロードキャストトラフィックの原因となる。
【先行技術文献】
【非特許文献】
【００１３】
【非特許文献１】２００２年３月８日、Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ（ＩＥＥＥ）発行、表題「ＩＥＥＥ  Ｓｔａｎｄａｒｄ  ｆｏｒ  Ｌｏｃａｌ  ａｎｄ  Ｍｅｔｒｏｐｏｌｉｔａｎ  Ａｒｅａ  Ｎｅｔｗｏｒｋ：Ｏｖｅｒｖｉｅｗ  ａｎｄ  Ａｒｃｈｉｔｅｃｔｕｒｅ」、ｒｅｆ．８０２の文献の§６．３．２．６
【非特許文献２】１９８２年１１月、Ｉｎｔｅｒｎｅｔ  Ｅｎｇｉｎｅｅｒｉｎｇ  Ｔａｓｋ  Ｆｏｒｃｅ（ＩＥＴＦ）発行、表題「Ａｎ  Ｅｔｈｅｒｎｅｔ  Ａｄｄｒｅｓｓ  Ｒｅｓｏｌｕｔｉｏｎ  Ｐｒｏｔｏｃｏｌ」、ｒｅｆ．８２６のコメント要求（ＲＦＣ）
【非特許文献３】ＩＥＴＦによって１９８５年９月に発行された表題「ＢＯＯＴＳＴＲＡＰ  ＰＲＯＴＯＣＯＬ（ＢＯＯＴＰ）」のＲＦＣ９５１
【発明の概要】
【発明が解決しようとする課題】
【００１４】
本発明の目的は、ネットワーク側から着信接続が確立されることができるようにすること、ならびに、自己学習転送パラダイムのように構成を容易にしたままで、機密保護基準を向上させることである。
【課題を解決するための手段】
【００１５】
以下を含むアクセスノードによって、本発明の目的は達成され、先行技術の前述の欠点は克服される：
−  宛先ハードウェアアドレスとそれぞれの出口インタフェースの間に１対１の関連付けを含む転送テーブルに従ってデータトラフィックを転送するようになされた転送手段、
−  前記転送テーブルの中に転送エントリを構成するようになされた転送構成手段、および
−  自動構成サーバとそこにネットワークアドレスを割り当てるための加入者装置の間で交換される自動構成メッセージを捕捉するようになされた捕捉手段
であって、前記転送構成手段が前記捕捉手段に結合され、さらに特定の加入者装置の特定のハードウェアアドレスに関連する特定の転送エントリの構成を前記特定の加入者装置への特定のネットワークアドレスのリースと同期させるようになされる手段。
【００１６】
自動構成メッセージの例は動的ホスト構成プロトコル（ＤＨＣＰ）メッセージであり、自動構成サーバの一例はＤＨＣＰサーバである。
【００１７】
特定の加入者ポートへの特定のハードウェアアドレスの境界をその特定のハードウェアアドレスを保持する、その特定のポートに結合された対応する加入者装置への特定のネットワークアドレスのリースと同期させることによって、および、かかる境界がリースの間ずっと有効であることを確実にすることによって、対応する加入者が論理的にネットワークにまだ接続されている間にハードウェアアドレスが古くなるのを防ぎ、それによってネットワークからの着信接続が、加入者装置の遠隔管理のためなどに、いつでも確立されることができるようにする。
【００１８】
本発明はさらに、ハードウェアアドレスのスプーフィングがなおさら難しくなるという点でさらに有利である。
【００１９】
本発明によるアクセスノードのさらなる実施形態は、前記転送構成手段がさらに、前記特定の加入者装置への前記特定のネットワークアドレスの割当て、それぞれのリリース、を受けて前記特定の転送エントリに関連する特定のエージングタイマを停止する、それぞれ再開する、ようになされることを特徴とする。
【００２０】
本実施形態は、自己学習転送パラダイムに加えて起こるので、特に有利である。自動構成サーバと加入者装置の間で交換される本当に最初のメッセージが、新しい転送エントリを転送テーブルに追加させ、対応するエージングタイマを始動させる。その加入者装置へのネットワークアドレスの割当てを受けて、エージングタイマの機能は停止される。リースタイマが満期となる、そのネットワークアドレスのリリースを受けて、または加入者装置か自動構成サーバからの明示的リリースを受けて、エージングタイマは再開する。エージングタイマが満期になるとき、転送エントリは転送テーブルから取り除かれる。
【００２１】
本発明によるアクセスノードの代替実施形態は、前記転送構成手段が、前記特定の加入者装置への前記特定のネットワークアドレスの割当て、それぞれのリリースを受けて、前記特定の転送エントリを追加する、それぞれ削除する、ようにさらになされることを特徴とする。
【００２２】
ネットワークアドレスが加入者に有効に割り当てられた後には、転送エントリは対応するハードウェアアドレスについて追加され、その加入者から／へのトラフィックがブリッジを介して流れ始める。ネットワークアドレスがリリースされた後は、対応する転送エントリは取り除かれ、ＤＨＣＰトラフィックを除くどのトラフィックも廃棄させる（ＤＨＣＰトラフィックは通常はＤＨＣＰコンテキスト情報を用いて転送される）。本実施形態では、自己学習パラダイムは、ネットワークアドレスの割当ておよびリリースとそれぞれ同期した準静的転送エントリ（または半永久的な、即ちリース時間中に古くならない、転送エントリ）の追加および除去に取って代わられる。
【００２３】
本発明はまた、アクセスノードの転送テーブルを構成する含む方法にも関し、方法は：
−  宛先ハードウェアアドレスとそれぞれの出口インタフェースの間の１対１の関連付けを含む転送テーブル内に転送エントリを構成するステップ、および
−  そこにネットワークアドレスを割り当てるために自動構成サーバと加入者装置の間で交換される自動構成メッセージを捕捉するステップを含み、
前記方法はさらに、特定の加入者装置の特定のハードウェアアドレスに関連する特定の転送エントリの構成を前記特定の加入者装置への特定のネットワークアドレスのリースと同期させるステップを含む。
【００２４】
本発明による方法の実施形態は、本発明によるアクセスノードの実施形態に対応する。
【００２５】
特許請求の範囲でも使用される、用語「含む」は、その後に記載される手段に限定されるものとして解釈されるべきではないことに留意されたい。従って、表現「手段ＡおよびＢを含む装置」の範囲は、構成要素ＡおよびＢのみからなる装置に制限されるべきではない。それは、本発明に関して、その装置の関連構成要素がＡおよびＢであることを意味する。
【００２６】
最後に、特許請求の範囲でも使用される、用語「結合された」は、直接接続のみに限定されるものとして解釈されるべきではないということに留意されたい。従って、表現「装置Ｂに結合された装置Ａ」は、装置Ａの出力が直接装置Ｂの入力に接続されたおよび／またはその逆の装置またはシステムに制限されるべきではない。それは、他の装置または手段を含む経路でもよい、Ａの出力とＢの入力の間におよび／またはその逆に経路が存在することを意味する。
【００２７】
添付の図面と共に実施形態の以下の説明を参照することによって、本発明の前述のおよび他の目的および特徴が明らかとなり、本発明自体が最もよく理解されることになろう。
【図面の簡単な説明】
【００２８】
【図１】集約ネットワークを表す図である。
【図２】本発明によるアクセスノードの第１の実施形態を表す図である。
【図３】本発明によるアクセスノードの第２の実施形態を表す図である。
【発明を実施するための形態】
【００２９】
図１には加入者装置１（ＣＰＥ）、アクセスノード２、イーサネット（登録商標）ベースの集約ネットワーク３（ＥＭＡＮ）、ＤＨＣＰサーバ４、エッジルータ５、およびインターネット４３を含むデータ通信システムが示されている。
【００３０】
加入者装置１は、アクセスノード２に結合される。アクセスノード２、ＤＨＣＰサーバ４、エッジルータ５は、集約ネットワーク３に結合される。エッジルータ５はさらにインターネット６に結合される。
【００３１】
ＤＨＣＰサーバ４は、動的に構成されたクライアントホストにネットワークアドレスを割り当て、構成パラメータを配信するようになされる。ＤＨＣＰサーバ４は、限られた期間（またはクライアントが明示的にそのアドレスを放棄するまで）クライアントにＩＰアドレスを割り当てる。動的割当ては、それが割り当てられたクライアントによってもはや必要とされないアドレスの自動的再利用を可能にする。従って、動的割当ては特に、ただ一時的にネットワークに接続されることになるクライアントにアドレスを割り当てるのに、またはパーマネントＩＰアドレスを必要としない一群のクライアントの間でＩＰアドレスの限られたプールを共用するのに有用である。
【００３２】
図２には、以下の機能ブロックを含む、本発明によるアクセスノード２ａが示されている：
−  モデム、ゲートウェイ、ルータ、パーソナルコンピュータ、セットトップボックス、携帯または無線端末などの、加入者装置への有線または無線伝送を介した結合のための加入者入出力ポート１１から１７、
−  集約ネットワークへの結合のためのネットワーク入出力ポート２１および２２、
−  転送テーブル３２を含むイーサネットスイッチ３１、
−  転送構成ユニット３３、
−  ＤＨＣＰ（またはＢＯＯＴＰ）中継エージェント。
【００３３】
イーサネットスイッチ３１は、加入者ポート１１から１７に、ネットワークポート２１および２２に、転送構成ユニット３３に、ならびにＤＨＣＰ中継エージェント３４に結合される。転送構成ユニット３３はさらにＤＨＣＰ中継エージェント３４に結合される。
【００３４】
イーサネットスイッチ３１は、任意の出口ポートに向けて任意の入口ポートからの任意の着信イーサネットフレームを切り替えるようになされる。新しい着信フレームの受信を受けて、イーサネットスイッチ３１は、そのフレームの宛先ＭＡＣアドレスをもつテーブル索引を用いて出口ポートを判定する。一致が見つからない場合、次にそのフレームは廃棄される（下流）またはフラッドされる（上流）。
【００３５】
イーサネットスイッチ３１はさらに、新しい着信イーサネットフレームがまだその入口ポート（即ち、それを介してフレームが受信されたポート）と関連付けられていないソースＭＡＣアドレスをもつときはいつでも転送構成ユニット３３をトリガするようになされる（ｎｅｗ＿ｉｎｃｏｍｉｎｇ＿ｆｒａｍｅ（Ｓ，ｐｏｒｔ＿ｉｄ）メッセージを参照）。トリガは、ソースＭＡＣアドレス（Ｓ）と入口ポートの論理識別子（ｐｏｒｔ＿ｉｄ）の両方を含む。
【００３６】
イーサネットスイッチ３１はさらに、アプリケーションプログラミングインタフェース（ＡＰＩ）などを介してさらに処理するためにＤＨＣＰトラフィックをＤＨＣＰ中継エージェント３４へと転送するようになされる。捕捉されたＤＨＣＰトラフィックが本発明に従って処理された後は、それは、場合によっては指定された出口ポートを介する、さらなる転送のためにイーサネットスイッチ３１に返される。
【００３７】
転送テーブル３２は、学習されたソースＭＡＣアドレスとそれぞれのポート識別子の間に１対１の関係を維持する。
【００３８】
転送構成ユニット３３は、イーサネットスイッチ３１とＤＨＣＰ中継エージェント３４の両方から受信されるトリガに基づいて転送テーブル３２を構成するようになされる。
【００３９】
さらに具体的には、転送構成ユニット３３は、特定のソースＭＡＣアドレス（Ｓ）を特定のポート識別子（ｐｏｒｔ＿ｉｄ）と関連付ける新しい転送エントリを書き込む（転送構成ユニット３３とイーサネットスイッチ３１の間のａｄｄ＿ｅｎｔｒｙ（Ｓ，ｐｏｒｔ＿ｉｄ）メッセージを参照）か、既存の転送エントリを削除する（ｄｅｌｅｔｅ＿ｅｎｔｒｙ（Ｓ，ｐｏｒｔ＿ｉｄ）メッセージを参照）か、または学習されたＭＡＣアドレスを別のポート識別子に再度関連付けることによって既存の転送エントリを更新する（ｕｐｄａｔｅ＿ｅｎｔｒｙ（Ｓ，ｐｏｒｔ＿ｉｄ）メッセージを参照）。
【００４０】
転送構成ユニット３３はさらに、新しいエントリが追加されるまたは既存のエントリが更新されるときはいつでもエージングタイマを始動するように、およびこのタイマが満期になった後は対応する関連付けを削除するようになされる。
【００４１】
転送構成ユニット３３はさらに、その特定のハードウェアアドレスを保持しその特定のポートに結合された特定の加入者装置へのネットワークアドレスの割当て、それぞれのリリースと同期して、特定のポート識別子に特定のハードウェアアドレスを関連付ける、特定の転送エントリに対応するエージングタイマを休止し、それぞれ再開するようになされる。その同期トリガは、ＤＨＣＰ中継エージェント３４によって発行される。
【００４２】
ＤＨＣＰ中継エージェント３４は、クライアント装置からの任意のＤＨＣＰメッセージをＤＨＣＰサーバ４へ、およびその逆に、中継するようになされる（図２のＤＨＣＰ＿ｔｒａｆｆｉｃを参照）。ＤＨＣＰ中継エージェント３４は、ＩＥＴＦによって１９８５年９月に発行された表題「ＢＯＯＴＳＴＲＡＰ  ＰＲＯＴＯＣＯＬ（ＢＯＯＴＰ）」のＲＦＣ９５１に記載されるようなＢＯＯＴＰ中継エージェントを実装する。
【００４３】
ＤＨＣＰ中継エージェント３４はさらに、それによって特定の加入者装置が有効にＩＰアドレスを割り当てられるＤＨＣＰＡＣＫメッセージの捕捉を受けて転送構成ユニット３３をトリガするようになされる（ＩＰ＠＿ａｓｓｉｇｎｍｅｎｔ（Ｓ）メッセージを参照、ＳはＤＨＣＰＡＣＫメッセージ内のｃｈａｄｄｒフィールドから読み取られた対応する加入者装置のＭＡＣアドレスを示す）。
【００４４】
ＤＨＣＰ中継エージェント３４はさらに、その値がＤＨＣＰＡＣＫメッセージのＤＨＣＰオプションフィールド内に符号化されたものとしてのＩＰリース時間と一致する、タイマを始動するようになされる。タイマの満期を受けて、ＤＨＣＰ中継エージェント３４は転送構成ユニット３３に対応するＩＰアドレスのリリースについて知らせる（ＩＰ＠＿ｒｅｌｅａｓｅ（Ｓ）メッセージを参照）。それによって加入者装置が前に割り当てられたそのＩＰアドレスをリリースするＤＨＣＰＲＥＬＥＡＳＥメッセージの捕捉を受けて、或いは、ＤＨＣＰサーバ４が加入者装置の前に割り当てられたそのＩＰアドレスをリリースさせるＤＨＣＰＦＯＲＣＥＲＥＮＥＷメッセージの捕捉を受けて、ＤＨＣＰ中継エージェント３４がそのように行う。
【００４５】
本実施形態の動作は、アクセスノード２ａの加入者ポート１１に結合されるものと仮定される、加入者装置１を参照して続く。
【００４６】
最初に、加入者装置１（より具体的には加入者装置１に収容されたＤＨＣＰクライアント）がＤＨＣＰセッションを始動してＤＨＣＰサーバからネットワーク構成パラメータを取得する。そのネットワーク構成パラメータは、ＩＰアドレス、１次のおよび２次のドメインネームサーバ（ＤＮＳ）のＩＰアドレス、ゲートウェイのＩＰアドレス、サブネットマスクなどを含む。
【００４７】
ＤＨＣＰセッションは、ソースＭＡＣアドレスとしての加入者装置１のＭＡＣアドレス、ここではＭＡＣ＠１、をもつ、および宛先ＭＡＣアドレスとしてのブロードキャストＭＡＣアドレスＦＦ：ＦＦ：ＦＦ：ＦＦ：ＦＦ：ＦＦをもつ、ＤＨＣＰＤＩＳＣＯＶＥＲメッセージ、現在はＤＨＣＰＤＩＳＣＯＶＥＲ１、をブロードキャストすることによって始動される。
【００４８】
イーサネットスイッチ３１は、ＤＨＣＰメッセージとしてＤＨＣＰＤＩＳＣＯＶＥＲ１メッセージを識別し（ＵＤＰクライアント／サーバポート番号の調査によってなど）、それによってＤＨＣＰＤＩＳＣＯＶＥＲ１メッセージをＤＨＣＰ中継エージェント３４に引き渡す。
【００４９】
ＤＨＣＰ中継エージェントは、その１つのＩＰアドレスをＤＨＣＰＤＩＳＣＯＶＥＲ１メッセージのｇｉａｄｄｒフィールドに書き込み、指定されたネットワークポートを介してＤＨＣＰサーバ４へＤＨＣＰＤＩＳＣＯＶＥＲ１メッセージを転送するようにイーサネットスイッチ３１に要求する。
【００５０】
ＤＨＣＰＤＩＳＣＯＶＥＲ１メッセージのソースＭＡＣアドレス、現在はＭＡＣアドレスＭＡＣ＠１、は、それを介してＤＨＣＰＤＩＳＣＯＶＥＲ１メッセージが受信されたポート、現在は加入者ポート１１、とまだ関連付けられていないので、同時に、イーサネットスイッチ３１は転送構成ユニット３３をトリガする。
【００５１】
転送構成ユニット３３は転送テーブル３２に新しい転送エントリを書き込み、それによってＭＡＣアドレスＭＡＣ＠１はポート１１に束縛され（ここではＳ＝ＭＡＣ＠１およびｐｏｒｔ＿ｉｄ＝１１をもつａｄｄ＿ｅｎｔｒｙ（Ｓ，ｐｏｒｔ＿ｉｄ）を参照）、新しいエージングタイマＴ１を始動する。
【００５２】
ＤＨＣＰセッションは、さらにＤＨＣＰメッセージ（ＤＨＣＰＯＦＦＥＲ、ＤＨＣＰＲＥＱＵＥＳＴ、図示せず）を交換することによって継続し、ＤＨＣＰサーバ４がＤＨＣＰクライアントにＤＨＣＰＡＣＫメッセージ、現在はＤＨＣＰＡＣＫ１、を返すことで終了する。ＤＨＣＰＡＣＫ１メッセージは、加入者装置１に割り当てられたＩＰアドレスＩＰ＠１、ならびにＩＰリース時間を含み、ネットワークポートを介してアクセスノード２ａによって受信される。
【００５３】
イーサネットスイッチ３１は、ＤＨＣＰＡＣＫ１メッセージをＤＨＣＰ中継エージェント３４に受け渡す。ＤＨＣＰ中継エージェント３４は、それぞれＤＨＣＰＡＣＫ１メッセージのｃｉａｄｄｒおよびｃｈａｄｄｒフィールドからＩＰ＠１およびＭＡＣ＠１を読み取り、ネットワークアドレス割当てについて転送構成ユニット３３に通知する（現在Ｓ＝ＭＡＣ＠１をもつＩＰ＠＿ａｓｓｉｇｎｍｅｎｔ（Ｓ）メッセージを参照）。
【００５４】
同時に、ＤＨＣＰ中継エージェント３４は、その値がＤＨＣＰＡＣＫ１メッセージのＤＨＣＰオプションフィールド（リース時間）から読み取られた値と一致する、リースタイマＴ２を始動する。
【００５５】
その結果、転送構成ユニット３３は、ＭＡＣ＠１に関連する転送エントリについて動作するものとしてエージングタイマＴ１を識別し、このタイマを休止する。
【００５６】
最終的に、ＤＨＣＰ中継エージェント３４は、宛先ＭＡＣアドレスの代わりに加入者装置１のＭＡＣアドレスを使用し、イーサネットスイッチ３１にＤＨＣＰＡＣＫ１メッセージを加入者装置１へ転送するよう要求する。
【００５７】
タイマＴ２の満了を受けて、またはそれぞれＤＨＣＰサーバ４または加入者装置１からのＤＨＣＰＦＯＲＣＥＲＥＮＥＷかＤＨＣＰＲＥＬＥＡＳＥメッセージの受信を受けて、ＤＨＣＰ中継エージェント３４はＩＰアドレスリリースについて転送構成ユニット３３に通知する（現在はＳ＝ＭＡＣ＠１をもつＩＰ＠＿ｒｅｌｅａｓｅ（Ｓ）メッセージを参照）。
【００５８】
その後すぐに、転送構成ユニット３３は、エージングタイマＴ１をＭＡＣ＠１に関連する転送エントリについて休止されたものとして識別し、このタイマを再開する。タイマＴ１の満了を受けて、ＭＡＣ＠１に関連する転送エントリは古くなり、転送テーブル３２から取り除かれる（現在Ｓ＝ＭＡＣ＠１およびｐｏｒｔ＿ｉｄ＝１１をもつｄｅｌｅｔｅ＿ｅｎｔｒｙ（Ｓ，ｐｏｒｔ＿ｉｄ）を参照）。
【００５９】
代替方法として、転送構成ユニット３４は、ＩＰアドレス割当てを受けてエージングタイマＴ１を停止することができ、ＩＰアドレスのリリースを受けて新しいエージングタイマＴ１’を始動する。タイマＴ１’の満了を受けて、ＭＡＣ＠１に関連する転送エントリが転送テーブルから取り除かれる。本実施形態は、タイマコンテキストが維持される必要がない点でかなり有利である。
【００６０】
さらに代替方法として、ＤＨＣＰスヌーパ機能は、ＤＨＣＰ中継エージェント３４の代わりに機能することができる。ＤＨＣＰスヌーパはただＤＨＣＰサーバ４と加入者装置の間で交換されるＤＨＣＰメッセージの複製を得る。複製は、さらなる転送のために、イーサネットスイッチ３１に戻されない。
【００６１】
図３には本発明によるアクセスノード２ｂの代替実施形態が示され、そこでは転送構成ユニット３３は自己学習転送パラダイムを実装せず（少なくとも加入者ポートについて）、転送テーブル３２に準静的転送エントリを追加または削除するのにＤＨＣＰ中継エージェント３４からのＩＰアドレス割当ておよびリリースメッセージに依存するのみである。リースタイマＴ２は、ＤＨＣＰＡＣＫメッセージの受信を受けてやはり始動され、転送エントリは、このタイマの満了を受けて、またはＤＨＣＰサーバもしくはＤＨＣＰクライアントによるＩＰアドレスのリリースを受けて、取り除かれる。
【００６２】
最後の注釈は、本発明の実施形態が機能ブロックに関して前述されているということである。前述の、これらのブロックの機能説明から、電子装置を設計する当業者にはよく知られている電子構成要素でどのようにしてこれらのブロックの実施形態が製造されることができるかが明らかとなろう。従って、機能ブロックの内容の詳細なアーキテクチャは与えられていない。
【００６３】
本発明の原理が具体的な装置に関して前述されているが、本記述は例としてのみ行われ、添付の特許請求の範囲に定義されるような本発明の範囲への制限としてではないことを明確に理解されたい。
【図１】
2014161084.tif 000003
【図２】
2014161084.tif 000004
【図３】
2014161084.tif 000005
【手続補正書】
【提出日】平成26年4月18日(2014.4.18)
【手続補正１】
【補正対象書類名】特許請求の範囲
【補正対象項目名】全文
【補正方法】変更
【補正の内容】
【特許請求の範囲】
【請求項１】
出口ポートに向けて、着信フレームを、それらの宛先ハードウェアアドレス及び、宛先ハードウェアアドレスとそれぞれの出口ポートの間の１対１の関連付けを含む転送テーブル（３２）に基づいて、切り替えるようになされた転送手段（３１）と、
前記転送テーブル内に転送エントリを構成するようになされた転送構成手段（３３）と、
そこにネットワークアドレスを割り当てるために自動構成サーバ（４）と加入者装置の間で交換される自動構成メッセージを捕捉するようになされた捕捉手段（３４）と
を含み、
前記転送構成手段が前記捕捉手段に結合され、さらに特定の加入者装置（１）の特定のハードウェアアドレス（ＭＡＣ＠１）に関連する前記転送テーブルの特定の転送エントリの存続期間を前記特定の加入者装置への特定のネットワークアドレス（ＩＰ＠１）のリース時間と同期させるようになされ、前記同期は、前記リース時間と一致する値を有するタイマを始動し、前記タイマの満期を受けて前記リース時間の終了を検出することにより行われることを特徴とする、アクセスノード（２ａ、２ｂ）。
【請求項２】
前記転送構成手段が、前記特定の加入者装置への前記特定のネットワークアドレスの割当てと同期して、前記特定の転送エントリに関連する特定のエージングタイマを休止し、次に、前記特定のネットワークアドレスのリリースと同期して前記特定のエージングタイマを再開する、ようにさらになされることを特徴とする、請求項１に記載のアクセスノード（２ａ、２ｂ）。
【請求項３】
前記転送構成手段が、前記特定の加入者装置への前記特定のネットワークアドレスの割当てと同期して、前記特定の転送エントリを追加し、次に、前記特定のネットワークアドレスのリリースと同期して前記特定の転送エントリを削除する、ようにさらになされることを特徴とする、請求項１に記載のアクセスノード（２ａ、２ｂ）。
【請求項４】
出口ポートに向けて、着信フレームを、それらの宛先ハードウェアアドレスに基づいて切り替えるのに使用され、及び、宛先ハードウェアアドレスとそれぞれの出口ポートの間の１対１の関連付けを含む、アクセスノード（２ａ、２ｂ）内の転送テーブル（３２）を、自己構成する方法であって、
前記転送テーブル内に転送エントリを構成するステップと、
そこにネットワークアドレスを割り当てるために自動構成サーバ（４）と加入者装置の間で交換される自動構成メッセージを捕捉するステップとを含み、
前記方法はさらに、
特定の加入者装置（１）の特定のハードウェアアドレス（Ｍａｃ＠１）に関連する前記転送テーブルの特定の転送エントリの存続期間を前記特定の加入者装置への特定のネットワークアドレス（ＩＰ＠１）のリース時間と同期化するステップを含み、前記同期は、前記リース時間と一致する値を有するタイマを始動し、前記タイマの満期を受けて前記リース時間の終了を検出することにより行われることを特徴とする、方法。
【外国語明細書】
2014161084000001.pdf